(57)【要約】【課題】カーテンウオールが面外方向に向かう荷重を受けた時に、左右に隣接した突出部を有した縦枠と突出部を有しない縦枠に面外方向の変位差が生じないカーテンウオールとする。【解決手段】カーテンウオールユニット１の枠体４の一方の縦枠１０は突出部２０を有し、他方の縦枠１１は突出部２０を有しないものとし、この左右に隣接した一方の縦枠１０と他方の縦枠１１に亘って係止部品３０を取付けて、前述の両方の縦枠１０，１１が面外方向に相対的に動かないようにする。【選択図】図３
2009215814.tif 000002
【特許請求の範囲】
【請求項１】
枠体にパネル体を取付けた複数のカーテンウオールユニットを、建物躯体に上下、左右に連続して取付けたカーテンウオールであって、
前記各枠体は、突出部を有した左右一方の縦枠と、突出部を有しない左右他方の縦枠を備え、左右に隣接した枠体は、その突出部を有した縦枠と突出部を有しない縦枠が左右に隣接し、
この左右に隣接した突出部を有した縦枠と突出部を有しない縦枠を、係止部品で面外方向に相対的に動かないように連結したことを特徴とするカーテンウオール。
【請求項２】
係止部品は、突出部を有し左右一方の縦枠に取付けられる第１ブラケットと、左右他方の縦枠に取付けられる第２ブラケットを備え、
前記第１ブラケットと第２ブラケットが面外方向に動かないように嵌合して連結するようにした請求項１記載のカーテンウオール。
【請求項３】
係止部品は、左右一方の縦枠に取付けられる第１ブラケットと、左右他方の縦枠に取付けられる第２ブラケットを備え、その第１ブラケットと第２ブラケットは面内方向に移動することで面外方向に動かないように嵌合し、
前記左右一方の縦枠と左右他方の縦枠とに、面内方向に移動することで圧接するシール材を相対向してそれぞれ取付けた請求項１又は２記載のカーテンウオール。
【請求項４】
第１ブラケットは面内方向に開口した凹部を有し、第２ブラケットは面内方向に向かう凸部を有し、
この凹部と凸部が嵌合することで面外方向に動かないように連結されるようにした請求項２又は３記載のカーテンウオール。
【発明の詳細な説明】
【技術分野】
【０００１】
本発明は、カーテンウオールユニットを上下、左右に連続して建物躯体に取付けるようにしたユニット式のカーテンウオールに関する。
【背景技術】
【０００２】
従来、枠体にパネル体を装着したカーテンウオールユニットを、建物躯体に上下、左右に連続して取付けるユニット式のカーテンウオールにおいて、その枠体の左右一方の縦枠に、装飾やゴンドラレール等のために突出部を設けたものが提案されている。
例えば、特許文献１に開示されたように、枠体の左右一方の縦枠に装飾縁を設けたユニット式のカーテンウオールが提案されている。
【特許文献１】特開平７−１１３２７９号公報
【発明の開示】
【発明が解決しようとする課題】
【０００３】
前述した従来のカーテンウオールは、強風雨やゴンドラ等により面外方向（室内外側方向）に向かう荷重を受け、この荷重で枠体の縦枠が面外方向にたわむことがある。
前記枠体の一方の縦枠は装飾縁を有しているので面外方向の剛性が、他方の縦枠の面外方向の剛性よりも強いので、一方の縦枠の面外方向のたわみ量は、他方の縦枠の面外方向のたわみ量よりも小さい。
一方、左右に隣接したカーテンウオールユニットは、装飾縁を有した一方の縦枠と装飾縁を有しない他方の縦枠が左右に隣接するようにしてある。
このために、カーテンウオールが面外方向に向かう荷重を受けた時に、左右に隣接した縦枠に面外方向の変位差が生じてしまう。
つまり、装飾縁を有しない縦枠の面外方向のたわみ量が大きいので、面外方向に大きく変位するが、装飾縁を有する縦枠の面外方向のたわみ量が小さいので、面外方向の変位が小さく、面外方向の変位差が生じる。
【０００４】
前述のように、左右に隣接した縦枠に面外方向の変位差が生じると、その左右に隣接した縦枠間の水密性能が低下することがある。
【０００５】
本発明の目的は、カーテンウオールが面外方向に向かう荷重を受けた時に、左右に隣接した突出部を有した縦枠と、突出部を有しない縦枠に、面外方向の変位差が生じないようにしたカーテンウオールとすることである。
【課題を解決するための手段】
【０００６】
本発明は、枠体にパネル体を取付けた複数のカーテンウオールユニットを、建物躯体に上下、左右に連続して取付けたカーテンウオールであって、
前記各枠体は、突出部を有した左右一方の縦枠と、突出部を有しない左右他方の縦枠を備え、左右に隣接した枠体は、その突出部を有した縦枠と突出部を有しない縦枠が左右に隣接し、
この左右に隣接した突出部を有した縦枠と突出部を有しない縦枠を、係止部品で面外方向に相対的に動かないように連結したことを特徴とするカーテンウオールである。
【０００７】
本発明においては、係止部品は、突出部を有し左右一方の縦枠に取付けられる第１ブラケットと、左右他方の縦枠に取付けられる第２ブラケットを備え、
前記第１ブラケットと第２ブラケットが面外方向に動かないように嵌合して連結するようにできる。
このようにすれば、係止部品のブラケットと突出部を縦枠に取付けるブラケットが兼用であるから、部品点数が少ないと共に、係止部品、突出部の縦枠への取付け作業が容易である。
【０００８】
本発明においては、係止部品は、左右一方の縦枠に取付けられる第１ブラケットと、左右他方の縦枠に取付けられる第２ブラケットを備え、その第１ブラケットと第２ブラケットは面内方向に移動することで面外方向に動かないように嵌合し、
前記左右一方の縦枠と左右他方の縦枠とに、面内方向に移動することで圧接するシール材を相対向してそれぞれ取付けるようにできる。
このようにすれば、左右一方のカーテンウオールユニットを建物躯体に取付けた後に、左右他方のカーテンウオールユニットを左右一方に向けて移動して建物躯体に取付けることで、係止部品の第１ブラケットと第２ブラケットが連結すると共に、シール材が接して左右の縦枠間を水密できる。
したがって、カーテンウオールユニットを左右方向に連続して取付ける作業が簡単である。
【０００９】
本発明においては、第１ブラケットは面内方向に開口した凹部を有し、第２ブラケットは面内方向に向かう凸部を有し、
この凹部と凸部が嵌合することで面外方向に動かないように連結されるようにできる。
このようにすれば、凸部と凹部の嵌合によって突出部を有した縦枠と突出部を有しない縦枠が相対的に面外方向に動かないようにしっかりと連結することができる。
【発明の効果】
【００１０】
本発明によれば、カーテンウオールが面外方向に向かう荷重を受けた時に、左右に隣接した突出部を有しない縦枠が突出部を有した縦枠よりも大きく面外方向にたわもうとするが、前述の２つの縦枠相互は係止部品によって相対的に面外方向に動けないので、前述の２つの縦枠は面外方向に同一量だけたわむ。
したがって、左右に隣接した突出部を有した縦枠と突出部を有しない縦枠に、面外方向の変位差が生じることがない。
【発明を実施するための最良の形態】
【００１１】
図１と図２に示すように、複数のカーテンウオールユニット１を、建物躯体２、例えば床スラブにファスナー３で上下、左右に連続して取付けてユニット式のカーテンウオールとしてある。
前記カーテンウオールユニット１は、枠体４にパネル体５を装着してある。
前記枠体４は、左の縦枠１０、右の縦枠１１と上横枠１２と下横枠１３と中間横枠１４を方形状に連結してある。
前記縦枠１０，１１の上部寄りがファスナー３で建物躯体２に取付けてある。
上下に隣接した枠体４の下横枠１３と上横枠１２が連結部品８で面外方向（室内外側方向）に相対的に動かないように連結してある。
この連結部品８は、上向きの突部を有した第１部品８ａと下向きの凹部を有した第２部品８ｂを有し、その第１部品８ａの突部と第２部品８ｂの凹部を嵌合して面外方向に相対的に動かないように連結する。
前記左の縦枠１０が突出部２０を有し、右の縦枠１１は突出部２０を有していない。
前記パネル体５はガラスやパネルであるが、開閉自在な障子でも良い。
【００１２】
前記左右に隣接したカーテンウオールユニット１，１における左右に隣接した左の縦枠１０と右の縦枠１１とに亘って係止部品３０が取付けてあり、この係止部品３０で左の縦枠１０と右の縦枠１１が面外方向（室内外側方向）に相対的に動かないように連結されている。
前記係止部品３０は、縦枠の長手方向（上下方向）に間隔を置いた複数位置に取付けてある。この位置と数は任意である。
【００１３】
このようであるから、カーテンウオールが面外方向に向かう荷重を受けた時に、突出部２０を有しない右の縦枠１１が突出部２０を有した左の縦枠１０よりも面外方向に大きくたわもうとするが、係止部品３０によって左右の縦枠１０，１１は面外方向に相対的に動かないように連結されているので、右の縦枠１１と左の縦枠１０の面外方向のたわみ量が同じで、面外方向の変位差が生じない。
【００１４】
前記係止部品３０は、図３に示すように、突出部２０を有した第１ブラケット３１と、この第１ブラケット３１に面外方向に動かないように嵌合した第２ブラケット３２を備えている。
前記第１ブラケット３１が左の縦枠１０の面外方向の室外側部に、面外方向に動かないように固着して取付けられ、突出部２０が左の縦枠１０よりも面外方向の室外側に突出するようにしてある。
前記第２ブラケット３２が右の縦枠１１の面外方向の室外側部に、面外方向に動かないように固着して取付けられる。
【００１５】
このように、係止部品３０の第１ブラケット３１は突出部２０を縦枠に取付けるブラケットを兼用しているので、部品点数が少なく、係止部品３０、突出部２０の取付け作業が簡単である。
なお、突出部２０を縦枠に取付けるブラケット（第１ブラケット３１）は複数（例えば８コ）有り、そのいずれかのブラケット（例えば３コ）に第２ブラケット３２を嵌合して係止部品３０としてある。
【００１６】
前記第１ブラケット３１と第２ブラケット３２は、面内方向（パネル体５に沿った左右方向）に相対的に移動することで、面外方向に動かないように嵌合するようにしてある。
なお、面外方向に動かないように嵌合とは、面外方向に全く動かない場合でも良いが、作業性などを考慮して面外方向に僅かに動く場合も含むとする。
例えば、第１ブラケット３１は面内方向に開口した凹部３１ａを有し、第２ブラケット３２は面外方向に向かう凸部３２ａを有している。
【００１７】
前記縦枠１０，１１の面外方向の中間部には一次シール材（レインバリア）６が装着され、面外方向の室内側部には二次シール材７が装着してある。
この一次シール材６、二次シール材７は上横材１２、下横材１３にも装着され、それらは枠体４の周囲に連続して装着してある。
そして、左右に隣接した左の縦枠１０の一次シール材６、二次シール材７と、右の縦枠１１の一次シール材６、二次シール材７は面内方向に接して左右に隣接した左右の縦枠１０，１１間を水密している。
【００１８】
このようであるから、左右一方のカーテンウオールユニット１を建物躯体２に取付けた後に、左右他方のカーテンウオールユニット１を面内方向に向けて移動して第１・第２ブラケット３１，３２を嵌合すると共に、一次シール材６、二次シール材７をそれぞれ接するように取付けできる。
したがって、カーテンウオールユニット１を左右方向に連続して取付ける作業が簡単である。
【００１９】
しかも、カーテンウオールが面外方向に向かう荷重を受けた時に、係止部品３０によって左右の縦枠１０，１１に面外方向の変位差が生じないようにするので、前述の一次シール材６、二次シール材７が面外方向にずれることがなく常に接しているから、左右に隣接した縦枠間の水密性が低下することがない。
【００２０】
次に、突出部２０と係止部品取付部を詳細に説明する。
前記左右の縦枠１０，１１は、図３に示すように、面外方向に向かう基板１５と、この基板１５の面外方向室内側部に設けた取付部１６、面外方向中間部に設けた第１・第２シール材取付部１７，１８、面外方向室外側部に設けたブラケット取付部１９を有する同一断面形状である。
前記取付部１６が前述のファスナー３で建物躯体２に取付けられる。
前記第１シール材取付部１７に二次シール材７、第２シール材取付部１８に一次シール材６がそれぞれ取付けられる。
前記ブラケット取付部１９に第１・第２ブラケット３１，３２が取付けられる。
前記突出部２０は、面外方向に向かう第１板２１と第２板２２を複数の連結片２３で一体に連結した中空部を有すると共に、室外側部にゴンドラガイド部２４を有した長尺材である。
【００２１】
前記ブラケット取付部１９は図４に示すように、面内方向の外側に向かう第１外向片１９ａと第２外向片１９ｂと、この第１・第２外向片１９ａ，１９ｂの突出方向中間に設けた相対向した第１・第２支持片１９ｃ，１９ｄを有している。
前記第１ブラケット３１は、面外方向に向かう取付片３３と、この取付片３３の面外方向両端部に設けた第１・第２外向片３４，３５でほぼコ字形状の縦枠取付部３６と、この縦枠取付部３６（第２外向片３５）に設けた突出部取付部３７を備え、その突出部取付部３７が前記突出部２０の連結片２３にボルト３８で固着して取付けてある。
前記取付片３３が、前記第１・第２外向片１９ａ，１９ｂ間に嵌合すると共に、第１・第２支持片１９ｃ，１９ｄに接し、その取付片３３からボルト３９を裏板４０に螺合し、その裏板４０を第１・第２支持片１９ｃ，１９ｄに接して第１ブラケット３１の縦枠取付部３６を縦枠１０のブラケット取付部１９に取付けている。
【００２２】
前記第２ブラケット３２は、面外方向に向かう取付片４１と、この取付片４１に設けた面内方向外側に向かう第１・第２外向片４２，４３を備え、この取付片４１からボルト４４を裏板４５に螺合し、その裏板４５と取付片４１とで第１・第２支持片１９ｃ，１９ｄを挟持するように取付けられる。
前記第１・第２外向片４２，４３が前述の凸部３２ａで、第１ブラケット３１の第１・第２外向片３４，３５間（前述の凹部３１ａ）に嵌合するようにしてある。
前記第１・第２ブラケット３１，３２は金属製であるから、直接に接触すると金属きしみ音などが発生することがあるので、第２ブラケット３２の第１・第２外向片４２，４３に非金属部材から成る緩衝材４６、例えばゴムパッキンを取付け、この緩衝材４６が第１ブラケット３１の第１・第２外向片３４，３５に接するようにしてある。
【００２３】
前述の実施の形態では、第１ブラケット３１を突出部２０と別体としたが、一体としても良い。
また、突出部２０を縦枠１０に取付けるブラケットと係止部品３０の第１ブラケット３１を別部品としても良い。
【図面の簡単な説明】
【００２４】
【図１】本発明の実施の形態を示すカーテンウオールの一部外観図である。
【図２】図１のＡ−Ａ断面図である。
【図３】図１のＢ−Ｂ拡大断面図である。
【図４】図３のＣ部拡大図である。
【符号の説明】
【００２５】
１…カーテンウオールユニット、２…建物躯体、３…ファスナー、４…枠体、５…パネル体、６…一次シール材、７…二次シール材、１０…縦枠、１１…縦枠、２０…突出部、３０…係止部品、３１…第１ブラケット、３１ａ…凹部、３２…第２ブラケット、３２ａ…凸部。
【図１】
2009215814.tif 000003
【図２】
2009215814.tif 000004
【図３】
2009215814.tif 000005
【図４】
2009215814.tif 000006